(57)【要約】【課題】  室内機の内部において熱交換器表面に付着してドレンパン溜まる過程におけるドレン水を利用することで、効率のよい冷房運転が可能な空気調和機を提供することを目的とする。【解決手段】  圧縮機８、室内熱交換器２、絞り装置１２及び室外熱交換器９を含む冷媒回路と、室内熱交換器２に生じたドレン水を受けるドレンパン１６と、室内熱交換器２及びドレンパン１６を収容する室内機１とを備えた空気調和機であって、絞り装置１２が室内機１に収容され、絞り装置１２と室外熱交換器９との間を接続する配管の一部を熱交換配管３１としてドレン水に接触させて熱交換させる構成とする。【選択図】        図１
2015158347.tif 000002
【特許請求の範囲】
【請求項１】
圧縮機、室内熱交換器、絞り装置及び室外熱交換器を含む冷媒回路と、室内熱交換器に生じたドレン水を受けるドレンパンと、室内熱交換器及びドレンパンを収容する室内機とを備えた空気調和機であって、絞り装置が室内機に収容され、絞り装置と室外熱交換器との間を接続する配管の一部を熱交換配管としてドレン水に接触させて熱交換させるようにしたことを特徴とする空気調和機。
【請求項２】
前記熱交換配管が前記ドレンパン内に配設されたことを特徴とする請求項１記載の空気調和機。
【請求項３】
前記ドレンパン内に仕切り壁が形成され、前記仕切り壁によってドレンパン内がドレン水を貯める貯水区域と、貯水部から溢れたドレン水を外部に排水する排水口側の排水区域とに区分され、貯水区域内に熱交換配管が配設されたことを特徴とする請求項２記載の空気調和機。
【請求項４】
前記仕切り壁の高さは、ドレンパンに配設された熱交換配管の高さよりも高くなるように形成された請求項３載の空気調和機。
【請求項５】
前記仕切り壁が開閉可能に形成された請求項３又は４記載の空気調和機。
【請求項６】
前記仕切り壁の上端部に凹部が形成された請求項３〜５のいずれか１項に記載の空気調和機。
【請求項７】
前記ドレンパンは、上部開口よりも底面の面積が狭くなるように形成された請求項２〜６のいずれか１項に記載の空気調和機。
【請求項８】
前記室内熱交換器は、上下方向に複数段にわたって並列配置された伝熱管と、伝熱管の端部同士を接続する接続管とから構成され、室内熱交換器を構成する一部の伝熱管が熱交換配管として利用されたことを特徴とする請求項１〜７のいずれか１項に記載の空気調和機。
【請求項９】
前記上下方向に複数段にわたって並列配置された伝熱管のうち、下段側に配置された伝熱管を熱交換配管として利用したことを特徴とする請求項８記載の空気調和機。
【請求項１０】
前記熱交換配管が冷房運転時の冷媒流れ方向に複数の領域に区分され、前記室内熱交換器を流れ落ちてドレンパンに溜まるまでのドレン水の流水経路上に、前記流水経路上流側から下流側に向けて、前記熱交換配管の複数の領域が冷媒流れ方向下流側の領域から順に配置されたことを特徴とする請求項１〜９のいずれか１項に記載の空気調和機。
【請求項１１】
前記熱交換配管はドレンパン内でＵ字状に配設され、前記熱交換配管において、Ｕ字状の折り返し部を境にして上流側領域と下流側領域とに区分され、下流側領域が前記流水経路の上流側に配され、上流側領域が流水経路の下流側に配されたことを特徴とする請求項１０記載の空気調和機。
【請求項１２】
前記熱交換配管の一部がドレンパン内でＵ字状に配設され、このＵ字状に配設されたＵ字状配管において、Ｕ字状の折り返し部を境にして上流側領域と下流側領域とに区分され、下流側領域の端部が前記室内熱交換器の第１伝熱管に接続され、第１伝熱管の他端部が第２伝熱管に接続され、前記流水経路の上流側から第２伝熱管、第１伝熱管、下流側領域及び上流側領域の順に配置されたことを特徴とする請求項１０記載の空気調和機。
【請求項１３】
圧縮機、室内熱交換器、絞り装置及び室外熱交換器を含む冷媒回路と、室内熱交換器に生じたドレン水を受けるドレンパンと、室外熱交換器及び絞り装置を収容する室外機とを備えた空気調和機であって、前記絞り装置と室外熱交換器との間を接続する熱交換配管の一部に、水平方向から傾斜させた傾斜領域を形成し、前記傾斜領域の周りを容器で覆い、前記容器の上流側から、ドレンパンから排出されたドレン水を導入するようにしたことを特徴とする空気調和機。
【発明の詳細な説明】
【技術分野】
【０００１】
本発明は、ドレン水のエネルギーを効率よく回収することにより冷房能力を向上させた空気調和機に関する。
【背景技術】
【０００２】
従来、空気調和機の冷房能力を向上させる一つの方法として、過冷却を増加させる方法が知られている。具体的に説明すると、図１３に示すモリエル線図において過冷却を増加させると、図１４に示すように空気調和機の冷房能力が向上する。
ここで、過冷却（Ｓ．Ｃ．）は以下の式で表わされる。
過冷却＝（Ｔｓ−Ｔｃ）
Ｔｓ：高圧飽和温度
Ｔｃ：膨張弁に入る前のパイプ温度
したがって、上の式において、Ｔｃをできるだけ低く抑えることで、過冷却を増大させることが可能となる。
【０００３】
ただし、Ｔｃは雰囲気温度に依存するため、過冷却を増やすには限界があった。上記課題に対して、特許文献１には、ドレン管を室外機と連結させ、冷房運転時に絞り装置よりも上流側の高圧配管をドレン水で冷やし、過冷却を増大させる構造が開示されている。
【先行技術文献】
【特許文献】
【０００４】
【特許文献１】特開平１０−１３２３３５号公報
【発明の概要】
【発明が解決しようとする課題】
【０００５】
しかしながら、特許文献１ではドレンパンから室内機の外部へ排出された後のドレン水を利用するにとどまるものであり、高圧配管を冷やす螺旋構造体に導入されたドレン水は螺旋構造体の途中で止まったり、螺旋構造体からこぼれ落ちる可能性があり、過冷却の熱交換効率が低くなるといった問題があった。
【０００６】
そこで、本発明においては、上記に鑑み、室内機の内部において熱交換器表面に付着してドレンパンに溜まる過程のドレン水を利用して絞り装置よりも上流側の高圧配管を冷却することで、効率のよい冷房運転が可能な空気調和機を提供することを目的とする。
【課題を解決するための手段】
【０００７】
上記目的を達成するために、本発明では、圧縮機、室内熱交換器、絞り装置及び室外熱交換器を含む冷媒回路と、室内熱交換器に生じたドレン水を受けるドレンパンと、室内熱交換器及びドレンパンを収容する室内機とを備えた空気調和機であって、絞り装置が室内機に収容され、絞り装置と室外熱交換器との間を接続する配管の一部を熱交換配管としてドレン水に接触させて熱交換させる構成とした。
【０００８】
上記構成によれば、冷房運転時又は除湿運転時に絞り装置よりも上流側となる高圧配管の一部を熱交換配管とし、ドレン水（凝縮水）が室内機から排出される前に、ドレンパンにたまる過程におけるドレン水を熱交換配管に接触させて熱交換を行うようにしたため、簡単な構造で安定的にかつ効率よく熱交換配管を冷却することができ、効率のよい冷房運転が可能な空気調和機を提供することが可能となる。
【発明の効果】
【０００９】
上述のように、本発明によれば、絞り装置と室外熱交換器との間を接続する配管の一部を熱交換配管としてドレン水に接触させて熱交換させるようにしたため、冷媒を効率よく冷却することが可能となり、冷房能力及び除湿能力を向上させることができ、効率のよい運転が可能な空気調和機を提供することが可能となる。
【図面の簡単な説明】
【００１０】
【図１】本発明の空気調和機の第１実施形態を示す室内機の断面図
【図２】本発明の第１実施形態における空気調和機の冷媒回路を示す図
【図３】図１における熱交換配管及びドレンパンを示す模式平面図
【図４】図３の模式断面図
【図５】図３とは別の形態のドレンパンを示す模式平面図
【図６】図５の模式断面図
【図７】本発明の第２実施形態を示す室内機の断面図
【図８】本発明の第３実施形態を示す熱交換配管及びドレンパンを示す模式断面図
【図９】図８とは別の形態の熱交換配管を示す模式断面図
【図１０】本発明の第４実施形態を示す室内機の断面図
【図１１】本発明の第４実施形態における冷媒回路を示す図
【図１２】本発明の第４実施形態における熱交換配管の概略を示す模式図
【図１３】従来の空気調和機のモリエル線図
【図１４】図１３において過冷却を増やした状態のモリエル線図
【発明を実施するための形態】
【００１１】
［第１実施形態］
以下、図面に基づいて本発明の実施の形態を説明する。図１は、本発明に係る空気調和機の実施形態を示す室内機の断面図であり、図２は、本発明に係る空気調和機の冷媒回路を示す図であり、図３は、図１における熱交換配管及びドレンパンを示す模式平面図であり、図４は、図３の模式断面図である。
【００１２】
図１に示すように、室内機１は、室内熱交換器２およびファン３と、これらを内装するキャビネット４とを有する。左右方向に長く形成されたキャビネット４の上面に、吸込口５が形成される。キャビネット４の前面下部から底面にかけての湾曲面に吹出口６が形成される。なお、キャビネット４を正面から見て、幅方向を左右方向Ｘ、奥行き方向を前後方向Ｙ、高さ方向を上下方向Ｚとする。本発明では室内機１内にさらに絞り装置１２が内装される。
【００１３】
図２に示すように、室外機７には、圧縮機８、室外熱交換器９、四方弁１１のほか、図示しないファンが内装されている。室内機１と室外機７とが配管によって接続され、冷凍サイクルが形成される。空気調和機では、冷房、暖房、除湿などの空調運転が行われる。絞り装置１２としては、膨張弁やキャピラリーチューブを使用することができる。
【００１４】
室内機１のキャビネット４の内部には、吸込口５から吹出口６に至る送風路１３が形成され、送風路１３に、室内熱交換器２とファン３とが配される。キャビネット４内に、吸込口５に面してフィルタが着脱可能に設けられる。
【００１５】
室内熱交換器２は、ファン３の前側および後側を側面視逆Ｖ字状に取り囲む。室内熱交換器２は、前面熱交換器２ａと背面熱交換器２ｂとに分割されている。前面熱交換器２ａは、前面パネル１４側に配置される。背面熱交換器２ｂは、背面板１５側に配置される。
【００１６】
ここで、冷房運転（除湿運転を含む）のとき、冷媒は図２中の矢印に示す方向に流れ、室内熱交換器２が蒸発器として機能し、室外熱交換器９が凝縮器として機能する。冷房運転により、蒸発器、すなわち室内熱交換器２にはドレン水が生じる。室内熱交換器２に対して、ドレン水を受けるドレンパン１６，１７が前後にそれぞれ設けられる。前面熱交換器２ａの下方に、前面ドレンパン１６が設けられ、背面熱交換器２ｂの下方に、背面ドレンパン１７が設けられる。各ドレンパン１６，１７は、室内熱交換器２に合わせて左右方向に長く形成される。吹出口６には、吹出口６を開閉する横ルーバ１８が設けられるとともに、縦ルーバ１９が揺動可能に設けられる。
【００１７】
背面ドレンパン１７は前面ドレンパン１６よりも高い位置にある。背面ドレンパン１７と前面ドレンパン１６とをつなぐ導水路が設けられており、背面ドレンパン１７に流入したドレン水は前面ドレンパン１６に送られる。導水路は、ドレンパン１６，１７の左右方向の一側に形成され、背面ドレンパン１７のドレン水を前面ドレンパン１６に導く。前面ドレンパン１６に排水口が形成され、排水口に排水管が接続され、ドレン水は室内機の外部に排出される。
【００１８】
本実施形態では、図示のごとく、絞り装置１２が室内機１に収容される。さらに、室内機１内において、絞り装置１２と室外熱交換器９との間を接続し、冷房運転時に絞り装置１２より上流側となる配管（以下、上流側配管という）３０の一部を熱交換配管３１として前面ドレンパン１６に引き入れて配設している。上記構成により、ドレンパンに溜まる過程におけるドレン水で確実かつ安定的に熱交換配管を冷却することができ、過冷却を増加させることが可能となり、優れた冷房能力の空気調和機を提供することができる。
【００１９】
図３及び図４に示すように、熱交換配管３１は、Ｕ字状に形成されて前面ドレンパン１６の底部に配設される。なお、熱交換配管３１がＵ字状に形成されているのは、熱交換面積を増やすためであり、特に形状は限定されない。
【００２０】
本実施形態では、前面ドレンパン１６の排水口２１の近傍に仕切り壁３３が形成されている。これにより、前面ドレンパン１６内を、ドレン水を貯める貯水区域と、貯水部から溢れたドレン水を外部に排水する排水口側の排水区域とに区分するように仕切ることができる。貯水区域に熱交換配管３１を配設しておくことによって、ドレンパン１６に溜まったドレン水により効率よく熱交換配管３１を冷却することができる。
【００２１】
仕切り壁３３の高さは、ドレンパン１６に配設された熱交換配管３１の高さよりも高くなるように形成するのが好ましい。これにより、熱交換率を高めることができる。また、仕切り壁３３は開閉可能に形成するのが好ましい。上記構成により、ドレンパン１６内にドレン水が長期的に溜まって雑菌等が繁殖するのを防止し、衛生状態を維持することが可能となる。
【００２２】
なお、仕切り壁３３を開閉する手段としては、仕切り壁３３の一部に上下開閉扉を設けるか、または、仕切り壁全体を上下動可能に設け、これをモータ駆動により自動的に、または、手動によって上下動させればよい。
【００２３】
また、仕切壁３３の上端部に凹部３４を形成することもできる。これにより、貯水区域に満杯となったドレン水がいきなり周囲に溢れだすことがなく、スムーズにオーバーフローさせることが可能となる。
【００２４】
前面ドレンパン１６は、図５及び図６に示すように、ドレンパンの上部開口よりも底面の面積が狭くなるように形成することができる。上記構成により、少量のドレン水でも熱交換配管３１を浸漬させることができ、効率よく熱交換させることができる。本実施形態ではドレンパンの側壁下部がスロープ状に形成されており、ドレン水を底面にスムーズに集めることができる。
【００２５】
［第２実施形態］
第１実施形態では熱交換配管３１を冷却するために、熱交換配管３１をドレンパン１６内に配設するとともに、仕切り壁３３等を設けている。また、熱交換配管３１をドレンパン１６内に配設しただけでは熱交換配管３１の冷却が不十分な場合も想定される。
【００２６】
そこで、本実施形態では、室内熱交換器２は、上下方向に複数段にわたって並列配置された伝熱管２５と、伝熱管２５，２５の端部同士を接続する接続管とから構成され、室内熱交換器２を構成する一部の伝熱管２５が熱交換配管３１として利用された構成とした。
【００２７】
上記構成によれば、既存の熱交換器用の伝熱管２５を熱交換配管３１として利用するため、優れた熱交換効率によって熱交換配管３１を十分に冷却することができる。なお、熱交換配管３１として利用する伝熱管２５は、上下方向に配列した複数の伝熱管２５のうち下段側のものであるのが好ましい。
【００２８】
すなわち、室内熱交換器２の上部で凝縮した水滴は、ドレン水として室内熱交換器を流れ落ちる途中で室内熱交換器２の下部で凝縮した水滴と合流して水量を増しながらドレンパンに流入する。このようにドレン水は室内熱交換器を流下してドレンパンに溜まるまでのドレン水の流水経路の下流側（室内熱交換器の下段側）ほど水量が多くなる。よって、熱交換器上段側で発生したドレン水が流下して増量した状態で熱交換配管３１に接触することでより冷却が促進される。
【００２９】
以下、図面に基づいて本発明の実施の形態を説明する。図７は、本発明に係る空気調和機の実施形態を示す室内機の断面図である。
【００３０】
図示のごとく、本実施形態では、ドレンパン１６に熱交換配管３１を配設せずに、前面熱交換器２ａで使用される複数の伝熱管２５のうち、最下段の第１伝熱管２５ａと、二番目に低い段の第２伝熱管２５ｂを熱交換配管３１として利用した点が特徴とされ、その他の構成は第１実施形態と同じとされる。
【００３１】
第１伝熱管２５ａと、第２伝熱管２５ｂの他端部には図示しないＵ字管が接続されて全体としてＵ字状の熱交換配管３１が前面熱交換器２ａに組み込まれた形となる。本実施形態では、室内熱交換器２は、フィンアンドチューブ型熱交換器が用いられており、間隔をおいて並列配置されたプレート状の放熱フィン２６を伝熱管２５が貫通した状態で固定される。
【００３２】
上記構成によれば、伝熱管２５ａ及び２５ｂは、放熱フィン２６によって前面熱交換器２ａとの間で効率よく熱交換が可能である上に、さらに熱交換器２ａ上部で発生したドレン水により効率よく冷却される。熱交換配管である伝熱管２５ａ及び２５ｂを通過して冷却された冷媒は、絞り装置１２を通過した後、室内熱交換器２に導入される。このとき、冷媒は伝熱管２５ａ及び２５ｂを除く他の伝熱管２５を通過する。
なお、熱交換配管３１としては、図７のように伝熱管２５を利用した形態のみならず、後述する図９に示すように、伝熱管２５ａ，２５ｂを利用した熱交換配管３１２のほかに、ドレンパン１６にも熱交換配管３１１（なお、後述するように、熱交換配管３１１は上流側領域３１ａ、下流側領域３１ｂから成る）を配設し、熱交換配管３１１及び３１２を直列に接続して一つの熱交換配管とする形態とすることも可能である。
【００３３】
［第３実施形態］
本実施形態では、上述した熱交換配管を冷房運転時の冷媒流れ方向に複数の領域に区分し、前記室内熱交換器を流れ落ちてドレンパンに溜まるまでのドレン水の流水経路上に、前記流水経路上流側から下流側に向けて、前記熱交換配管の複数の領域を冷媒流れ方向下流側の領域から順に配置した点が特徴とされる。
【００３４】
すなわち、冷房運転時に熱交換配管を通る冷媒は、上流側領域の方が暖かい。一方、ドレン水の流水経路においては上流側から下流側にいくにしたがって、熱交換配管との熱交換によってドレン水の温度は高くなる。
【００３５】
したがって、上記構成によれば、冷房運転時において、熱交換配管の上流側領域は熱交換によって暖められたドレン水によって冷却し、下流側の領域に行くに従って、順次、冷たいドレン水で冷却することが可能となり、冷媒を効率よく冷却することができる。熱交換配管にて冷却された冷媒は絞り装置を通過して蒸発器として機能する室内熱交換器内に導入される。
【００３６】
なお、熱交換配管を複数の領域に区分し、流水経路上流側から下流側に向けて熱交換配管の複数の領域を下流側の流域から順に配置するには、たとえば、熱交換配管を左右に蛇行させながら流水経路を上流側にさかのぼるようにして形成することができる。
【００３７】
本実施形態では、図８に示すように、熱交換配管３１はドレンパン１６内でＵ字状に配設され、熱交換配管３１において、Ｕ字状の折り返し部を境にして冷房運転時の冷媒流れ方向の上流側領域３１ａと下流側領域３１ｂとに区分され、下流側領域３１ｂが流水経路Ｗの上流側に配され、上流側領域３１ａが流水経路Ｗの下流側に配される。その他の構成は第１実施形態と同じとされている。
【００３８】
本実施形態では、下流側領域３１ｂを流水経路Ｗの上流側に配し、上流側領域３１ａを流水経路Ｗの下流側に配するために、ドレンパン１６を傾斜形成し、ドレンパン１６底面の最底部に上流側領域３１ａを配し、室内熱交換器２から流下するドレン水が接触する位置に、すなわち、流水経路Ｗの途中に下流側領域３１ｂを配している。
【００３９】
なお、下流側領域３１ｂの設置位置としては、ドレン水が室内熱交換器２から流下して前面ドレンパン１６に溜まるまでの流水経路Ｗの途中であれば特に限定されず、上流側領域３１ａよりも上流側に配置すればよい。
【００４０】
上記構成によれば、前面熱交換器２ａから流下したドレン水が熱交換配管３１の下流側領域３１ｂに接触して熱交換した後、前面ドレンパン１６の最底部に溜まり、最底部に配置された上流側領域３１ａを浸漬する。これによって、少ない量のドレン水でも効率よく熱交換配管３１を冷却することができる。
【００４１】
さらに、冷房運転時において、冷媒は、室外熱交換器９を通過した後、伝熱管２５ａ、伝熱管２５ｂ、絞り装置１２の順に流通する。冷媒は上流側の方が暖かいので、上流側に配置された伝熱管２５ａは伝熱管２５ｂの熱交換によって暖められたドレン水で冷却し、下流側に行くに従って、順次、冷たいドレン水で冷却する。これにより、冷媒を効率よく冷却することが可能となる。
【００４２】
また、熱交換配管の別の構成例として、第２実施形態の構成を使用することもできる。すなわち、図７に示すように、ドレンパン１６に熱交換配管３１を配設せずに、前面熱交換器２ａで使用される複数の伝熱管２５のうち、最下段の第１伝熱管２５ａと、二番目に低い段の第２伝熱管２５ｂをＵ字管で接続し、これを熱交換配管３１として使用する。
【００４３】
上記構成において、第１伝熱管２５ａを上流側領域とし、第２伝熱管２５ｂを下流側領域とする。これにより、第２伝熱管２５ｂが流水経路Ｗの上流側に配され、第１伝熱管２５ａが流水経路Ｗの下流側に配され、冷媒を効率よく冷却することが可能となる。
【００４４】
また、熱交換配管の第３の構成例として、図９に示すように、伝熱管２５ａ，２５ｂを利用した熱交換配管３１２のほかに、ドレンパン１６にも熱交換配管３１１を配設し、熱交換配管３１１及び３１２を直列に接続して一つの熱交換配管とすることも可能である。
【００４５】
上記構成についてより詳しく説明すると、図９に示すように、ドレンパン１６内に配設されたＵ字状の熱交換配管３１１において、Ｕ字状の折り返し部を境にして区分される上流側領域３１ａ及び下流側領域３１ｂのうち、傾斜形成されたドレンパン１６の底面の最底部に上流側領域３１ａを配置する。
【００４６】
そして、前面熱交換器２ａから流下するドレン水が接触する位置に、すなわち、流水経路Ｗの途中に下流側領域３１ｂを配置する。そしてさらに、下流側領域３１ｂの端部を前面熱交換器２ａの第１伝熱管２５ａに接続し、第１伝熱管２５ａの他端部を第２伝熱管２５ｂに接続する。
【００４７】
上記構成によれば、冷房運転時において、室外熱交換器９から絞り装置１２に至るまでの区間では、冷媒は、上流側領域３１ａ、下流側領域３１ｂ、伝熱管２５ａ、伝熱管２５ｂの順に流通しつつ、流水経路Ｗを上流側へとさかのぼることになり、冷媒を効率よく冷却することが可能となる。
【００４８】
［第４実施形態］
前述したように、特開平１０−１３２３３５号（以下、文献１）には、ドレン管を室外機と連結させ、絞り装置の上流側の高圧配管をドレン水で冷やすための螺旋構造体が開示されている。しかしながら、文献１記載の構成では、螺旋構造体に水が伝わるので、水の流れが螺旋構造体の途中で止まったり、途中で水が構造体からこぼれ落ちる可能性があった。
【００４９】
そこで、本実施形態では、確実でより安定的に過冷却を増加させることが可能で、これにより優れた冷房能力を有する空気調和機の提供を目的とする。
【００５０】
上記目的を達成するため、本実施形態では、絞り装置と室外熱交換器との間を接続する熱交換配管の一部に、水平方向から傾斜させた傾斜領域を形成し、前記傾斜領域の周りを容器で覆い、前記容器の上流側からドレンパンから排出されたドレン水を導入するようにした。
【００５１】
上記構成により、確実でより安定的に過冷却を増加させることができる。以下、図面に基づいて本発明の実施の形態を説明する。図１１は、第３実施形態を示す室内機の断面図であり、図１２は本実施形態における冷媒回路を示す図であり、図１３は、本実施形態の熱交換配管の冷却方法を示す概略図である。
【００５２】
本実施形態では図示のごとく室外機７内に絞り装置１２が収容される。そして絞り装置１２及び絞り装置１２と室外熱交換器９との間を接続し、冷房運転時に絞り装置１２の上流側となる上流側配管３０も室外機７に収容される。上流側配管３０の一部に、水平方向から緩やかに傾斜させた領域が形成され、その領域がドレン水との間で熱交換を行なう熱交換配管３１とされる。上記以外の基本的な構成については、第１実施形態と同様とされる。
【００５３】
具体的には、熱交換配管３１の周りが容器３６で覆われ、傾斜した容器３６の上流側にドレンパン１６の排水管２０が接続される。なお、容器３６の下流側には排出口３７が形成され、熱交換後のドレン水が室外機７外部に排出される。これにより、ドレン水をスムーズに容器３６内に導入することが可能となり、確実でより安定的に過冷却を増加させることができる。また、排出口３７から排出されたドレン水は、室外熱交換器９にかけるようにしてもよい。このようにすることで、さらに室外熱交換器の放熱をうながすことができる。  
【００５４】
以上、本発明の実施形態につき説明したが、本発明の範囲はこれに限定されるものではなく、発明の主旨を逸脱しない範囲で種々の変更を加えて実施することができる。たとえば、本実施形態では、熱交換配管として使用する前面熱交換器２ａの伝熱管として最下段の伝熱管２５ａと二番目に低い段の伝熱管２５ｂを用いているが、これに限らず、異なる段の複数の伝熱管を用いることが可能である。この場合、下側の伝熱管から上側の伝熱管に順次冷媒が流れるように冷媒流路を形成すればよい。また、本実施形態では、ドレンパンに配設する熱交換配管として、Ｕ字状のものを用いているが、これに限らず、直線状、波状、Ｓ字状、Ｗ字状などとすることも可能である。
【符号の説明】
【００５５】
１    室内機
２    室内熱交換器
２ａ  前面熱交換器
２ｂ  背面熱交換器
３    ファン
４    キャビネット
５    吸込口
６    吹出口
７    室外機
８    圧縮機
９    室外熱交換器
１１    四方弁
１２    絞り装置
１３    送風路
１４    前面パネル
１５    背面板
１６    前面ドレンパン
１７    背面ドレンパン
１８    横ルーバ
１９    縦ルーバ
２０    排水管
２１    排水口
２２    上部出入口
２３    下部出入口
２４    冷媒流路
２５    伝熱管
２６    放熱フィン
３０    絞り装置と室外熱交換器の間の配管
３１    熱交換配管
３１ａ  上流側領域
３１ｂ  下流側領域
３３    仕切り壁
３４    凹部
３６    容器
３７    排出口
【図１】
2015158347.tif 000003
【図２】
2015158347.tif 000004
【図３】
2015158347.tif 000005
【図４】
2015158347.tif 000006
【図５】
2015158347.tif 000007
【図６】
2015158347.tif 000008
【図７】
2015158347.tif 000009
【図８】
2015158347.tif 000010
【図９】
2015158347.tif 000011
【図１０】
2015158347.tif 000012
【図１１】
2015158347.tif 000013
【図１２】
2015158347.tif 000014
【図１３】
2015158347.tif 000015
【図１４】
2015158347.tif 000016